【事件の表示】
　特願２０１５−２０３２１３号「遊技機」拒絶査定不服審判事件〔平成２８年３月１７日出願公開、特開２０１６−３４５３２号〕について、次のとおり審決する。
【結　論】
　本件審判の請求は、成り立たない。
【理　由】
第１　手続の経緯 
　本願は、平成１８年３月２２日に出願した特願２００６−７９６５２号の一部を平成２４年２月２日に新たな特許出願（特願２０１２−２０７７３号）とし、さらにその一部を平成２６年７月４日に新たな特許出願（特願２０１４−１３８２８２号）とし、さらにその一部を平成２７年１０月１４日に新たな特許出願（特願２０１５−２０３２１３号）としたものであって、平成２８年８月３１日付けで拒絶の理由が通知され、同年１１月２日に意見書及び手続補正書が提出され、平成２９年４月１０日付けで最後の拒絶の理由が通知され、同年６月７日に意見書及び手続補正書が提出されたところ、同年１１月２２日付けで、同年６月７日付け手続補正が却下されるとともに拒絶査定がなされ、それに対して、平成３０年２月２７日に拒絶査定不服審判の請求がなされると同時に手続補正（以下「本件補正」という。）がなされたものである。
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２８年１１月２日にされた手続補正の特許請求の範囲の請求項１の記載と本件補正後の特許請求の範囲の請求項１の記載は、それぞれ以下のとおりである（下線部は補正箇所を示す。また、Ａ１〜Ｄについては発明を分説するため当審で付与した。）。 
（本件補正前） 
「【請求項１】
Ａ１　特定の始動領域への遊技球の流入を契機として抽選が実行され、
Ａ２　当該抽選において当選の種類として、通常遊技状態から特別遊技状態へ遊技状態が移行する第１の当たり当選と、前記第１の当たり当選よりも前記特別遊技状態が短期間で終了する第２の当たり当選と、を有し、
Ａ３　当該抽選の結果を所定の図柄変動パターン演出によって報知する
Ａ４　遊技機であって、
Ｂ　前記図柄変動パターン演出のモードとして、第１の図柄変動パターンモードと、第２の図柄変動パターンモードと、を設け、
Ｃ　前記第１の図柄変動パターンモードが起動している状態で、少なくとも前記抽選の結果として前記第２の当たり当選が決定された場合には、前記第２の図柄変動パターンモードに切り替える図柄変動パターンモード切替制御手段を有し、
Ｄ　前記第２の図柄変動パターンモードは、前記抽選の当選確率が向上する確変に当選する期待値が設定された図柄を複数有して構成される
　　ことを特徴とする遊技機。」 
（本件補正後）  
「【請求項１】 
Ａ１　特定の始動領域への遊技球の流入を契機として抽選が実行され、
Ａ２　当該抽選において当選の種類として、通常遊技状態から特別遊技状態へ遊技状態が移行する第１の当たり当選と、前記第１の当たり当選よりも前記特別遊技状態が短期間で終了する第２の当たり当選と、を有し、
Ａ３　当該抽選の結果を所定の図柄変動パターン演出によって報知する
Ａ４　遊技機であって、
Ｂ　前記図柄変動パターン演出のモードとして、第１の図柄変動パターンモードと、第２の図柄変動パターンモードと、を設け、
Ｃ　前記第１の図柄変動パターンモードが起動している状態で、少なくとも前記抽選の結果として前記第２の当たり当選が決定された場合には、前記第２の図柄変動パターンモードに切り替える図柄変動パターンモード切替制御手段を有し、
Ｄ　前記第２の図柄変動パターンモードは、前記抽選の当選確率が向上する確変に当選する期待値が設定された図柄を複数有
するとともに、前記期待値が０％に設定された前記図柄を含まない一方、前記期待値が１００％に設定された前記図柄を含んで
　　ことを特徴とする遊技機。」 
２　補正の適否　　 
　本件補正は、補正前の請求項１に記載された発明特定事項である「第２の図柄変動パターンモード」について、「前記期待値が０％に設定された前記図柄を含まない一方、前記期待値が１００％に設定された前記図柄を含んで構成される」ことを付加して限定したものである。
　そして、補正前の請求項１に記載された発明と補正後の請求項１に記載された発明とは、産業上の利用分野及び解決しようとする課題が同一である。
　そうすると、本件補正は、特許法第１７条の２第５項第２号に規定する「特許請求の範囲の減縮」を目的とするものに該当する。
　また、本件補正は、本願の願書に最初に添付した明細書の段落【００８２】及び【０１１１】並びに図７の記載に基づいており、新規事項を追加するものではないから、特許法第１７条の２第３項に規定する要件を満たす。
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１（本件補正後）に記載したとおりのものである。
（２）引用文献に記載された事項 
ア　原査定の拒絶の理由で引用された本願の出願遡及日前に頒布された刊行物である特開２００５−１８５３４３号公報（以下「引用文献１」という。）には、図面と共に次の事項が記載されている（下線は当審で付した。）。 
「【００４５】
　上記構成の
パチンコ機１０
パチンコ球が始動口４６に入賞すると、この入賞が有効の場合（保留が満杯ではない場合）、内部的に抽選が実行され
【００４６】
　
抽選結果（当たり／外れ、並びに確率変動結果）は、表示部４３において図柄変動パターン演出を実行することで遊技者に報知され
【００４７】
　
特別遊技状態
変動入賞口４４が所定時間（約３０秒）開放され
遊技盤３２上のパチンコ球が極めて高い確率でこの変動入賞口４４に入賞するため、遊技者は短期間で多くの賞球払出を受けることが可能となる
「【００４９】
　ここで、本実施形態では、前記
当たりとして
大役と小役
種類
特別遊技状態
大役
当選
「【００５０】
　
小役
当選
高確率が約束される一方
【００５１】
　すなわち、小役遊技の場合には、
変動入賞口４４が０．４秒
開放され、最大２ラウンドで終了する
　上記記載事項を総合すれば、引用文献１には以下の発明（以下、「引用発明１」という。）が記載されているものと認められる（ａ〜ｄについては本願補正発明のＡ〜Ｄに対応させて付与した。）。
「ａ１　パチンコ球が始動口４６に入賞すると、この入賞が有効の場合（保留が満杯ではない場合）、内部的に抽選が実行され（【００４５】）、
ａ２　当たりの種類として、変動入賞口４４が所定時間（約３０秒）開放され、遊技盤３２上のパチンコ球が極めて高い確率でこの変動入賞口４４に入賞するため、遊技者が短期間で多くの賞球払出を受けることが可能となる特別遊技状態となる大役当選と、高確率が約束される一方、変動入賞口４４が０．４秒開放され、最大２ラウンドで終了する小役当選と、を有し（【００４７】、【００４９】、【００５０】、【００５１】）、
ａ３　抽選結果（当たり／外れ、並びに確率変動結果）を、表示部４３において図柄変動パターン演出を実行することで遊技者に報知する（【００４６】）
ａ４　パチンコ機１０（【００４５】）。　」
 イ　原査定の拒絶の理由で引用された本願の出願遡及日前に頒布された刊行物である特開２００５−５２５０８号公報（以下「引用文献２」という。）には、図面と共に次の事項が記載されている（下線は当審で付した。）。 
「【００２７】
　図１は、本実施例における
パチンコ遊技機１
「【００２９】
　可変表示装置４により行われる特図ゲームでは、特別図柄の可変表示を開始した後、一定時間が経過すると、特別図柄の表示結果を所定の順序で導出表示し、確定図柄（最終停止図柄）を停止表示する。そして、確定図柄の組合せが所定の大当り組合せ（大当りの停止図柄態様）である特定表示結果となったときに、このパチンコ遊技機１は、特定遊技状態（大当り遊技状態ともいう）となる。この大当り遊技状態においては、所定期間（例えば、２９秒）が経過するまで、あるいは所定個数（例えば、１０個）の入賞球が発生するまで、特別可変入賞球装置７が開成され、開成されている間、遊技盤２の表面を落下する遊技球を受け止める。そして、この開成サイクルを所定の上限回数（例えば、１６回）まで繰り返すことができる。そして、
大当たり遊技状態が終了した後には、確率変動制御（確変制御）あるいは時間短縮制御（時短制御）のいずれかが行われる特別遊技状態となる
大当たり遊技状態や確率向上状態、時間短縮状態以外の遊技状態を通常遊技状態といい、特図ゲームにおける表示結果が大当たり組合せとなる確率が、電源投入直後などの初期設定状態と同一に制御され
【００３０】
　図２は、この実施の形態で用いられる特別図柄の例を示す図である。図２（Ａ）は
通常遊技状態
用いられる
通常特別図柄
特別遊技状態
用いられる
特殊特別図柄
「【００３３】
　本実施の形態の特殊特別図柄では、大当たり信頼度又は期待度（その可変表示が行われた際に、大当たりとなる確率）が、図柄「●」＞図柄「▲」＞図柄「■」＞図柄「★」に設定されている。すなわち、どの図柄でリーチ表示態様となるかにより、大当たり信頼度が異なる。このため、遊技者は、どの特殊特別図柄でリーチ表示態様になるかにも興味を持つようになり、遊技興趣を向上させることができる。また、本実施の形態の
特殊特別図柄
期待度（その可変表示が行われた際に、特別遊技状態となる大当たりとなる確率）が、図柄「●」＞図柄「▲」＞図柄「■」＞図柄「★」に設定されている
【００３４】
　この実施の形態では、
通常特別図柄
図柄番号が奇数である特別図柄を確変大当たり図柄
【００３５】
　また、この実施の形態では、
通常特別図柄
図柄番号が偶数である特別図柄を通常大当たり図柄
る時間短縮状態となる。時短制御が行われる時間短縮状態では、各特図ゲームにて特定表示結果となって大当たり遊技状態となる確率は通常遊技状態と同一であるが、特図ゲームにおける特別図柄の可変表示時間が通常遊技状態のときよりも短くなる。さらに、この実施の形態では、特別遊技状態にて実行された特図ゲームの表示結果が大当たりとなったときには、その特図ゲームにおける大当たりの表示結果（確変大当たりあるいは通常大当たり）に応じて、さらに所定回数の特図ゲームが実行されるまで特別遊技状態に継続制御される。」
　上記記載事項を総合すれば、引用文献２には以下の発明（以下、「引用発明２」という。）が記載されているものと認められる（ａ〜ｄについては本願補正発明のＡ〜Ｄに対応させて付与した。）。
「ｂ　通常特別図柄が用いられる通常遊技状態と、特殊特別図柄が用いられる特別遊技状態と、を設け（【００３０】）、
ｃ　大当たり遊技状態が終了した後には、確率変動制御（確変制御）あるいは時間短縮制御（時短制御）のいずれかが行われる特別遊技状態となるが、大当たり遊技状態や確率向上状態、時間短縮状態以外の遊技状態を通常遊技状態といい、特図ゲームにおける表示結果が大当たり組合せとなる確率が、電源投入直後などの初期設定状態と同一に制御され（【００２９】）、
ｄ　前記特殊特別図柄は、期待度（その可変表示が行われた際に、特別遊技状態となる大当たりとなる確率）が、図柄「●」＞図柄「▲」＞図柄「■」＞図柄「★」に設定されているが（【００３３】）、通常特別図柄は、図柄番号が奇数である特別図柄を確変大当たり図柄、図柄番号が偶数である特別図柄を通常大当たり図柄に設定されている（【００３４】、【００３５】）
　　パチンコ遊技機１（【００２７】）。
（３）対比・判断 
ア　対比
　本願補正発明と引用発明１とを対比する。なお、見出し（ａ１）〜（ｄ）は、本願補正発明のＡ１〜Ｄに対応させている。
 
（ａ１）引用発明１の「ａ１　パチンコ球が始動口４６に入賞すると、この入賞が有効の場合（保留が満杯ではない場合）、内部的に抽選が実行され」ることは、本願補正発明の「Ａ１　特定の始動領域への遊技球の流入を契機として抽選が実行され」ることに相当する。
（ａ２）引用発明１の「ａ２　当たりの種類として、変動入賞口４４が所定時間（約３０秒）開放され、遊技盤３２上のパチンコ球が極めて高い確率でこの変動入賞口４４に入賞するため、遊技者が短期間で多くの賞球払出を受けることが可能となる特別遊技状態となる大役当選と」、「変動入賞口４４が０．４秒開放され、最大２ラウンドで終了する小役当選と、を有」することは、本願補正発明の「Ａ２　当該抽選において当選の種類として、通常遊技状態から特別遊技状態へ遊技状態が移行する第１の当たり当選と、前記第１の当たり当選よりも前記特別遊技状態が短期間で終了する第２の当たり当選と、を有」することに相当する。
（ａ３）引用発明１の「ａ３　抽選結果（当たり／外れ、並びに確率変動結果）を、表示部４３において図柄変動パターン演出を実行することで遊技者に報知する」ことは、本願補正発明の「Ａ３　当該抽選の結果を所定の図柄変動パターン演出によって報知する」ことに相当する。
（ａ４）引用発明１の「ａ４　パチンコ機１０」は、本願補正発明の「Ａ４　遊技機」に相当する。
　そうすると、両者は、 
「Ａ１　特定の始動領域への遊技球の流入を契機として抽選が実行され、
Ａ２　当該抽選において当選の種類として、通常遊技状態から特別遊技状態へ遊技状態が移行する第１の当たり当選と、前記第１の当たり当選よりも前記特別遊技状態が短期間で終了する第２の当たり当選と、を有し、
Ａ３　当該抽選の結果を所定の図柄変動パターン演出によって報知する
Ａ４　遊技機」 
である点で一致し、以下の点で相違する。
（相違点）
　本願補正発明は
「Ｂ　前記図柄変動パターン演出のモードとして、第１の図柄変動パターンモードと、第２の図柄変動パターンモードと、を設け、
Ｃ　前記第１の図柄変動パターンモードが起動している状態で、少なくとも前記抽選の結果として前記第２の当たり当選が決定された場合には、前記第２の図柄変動パターンモードに切り替える図柄変動パターンモード切替制御手段を有し、
Ｄ　前記第２の図柄変動パターンモードは、前記抽選の当選確率が向上する確変に当選する期待値が設定された図柄を複数有するとともに、前記期待値が０％に設定された前記図柄を含まない一方、前記期待値が１００％に設定された前記図柄を含んで構成される」のに対し、引用発明１はそのようなもではない点。
イ　判断
　以下、上記相違点について検討する。
　引用発明２の「ｂ　通常特別図柄が用いられる通常遊技状態と、特殊特別図柄が用いられる特別遊技状態と、を設け」ることは、本願補正発明の「Ｂ　前記図柄変動パターン演出のモードとして、第１の図柄変動パターンモードと、第２の図柄変動パターンモードと、を設け」ることに相当する。
　また、引用発明２の「ｃ　大当たり遊技状態が終了した後には、確率変動制御（確変制御）あるいは時間短縮制御（時短制御）のいずれかが行われる特別遊技状態となるが、大当たり遊技状態や確率向上状態、時間短縮状態以外の遊技状態を通常遊技状態といい、特図ゲームにおける表示結果が大当たり組合せとなる確率が、電源投入直後などの初期設定状態と同一に制御される」ことは、通常遊技状態で大当たり遊技状態が終了した後に、特別遊技状態となることは明らかであり、そのための状態切替制御手段を有することも明らかであって、確変制御が行われる大当りを本願補正発明の「第２大当り」に対応させれば、これら引用発明２の構成は、本願補正発明の「Ｃ　前記第１の図柄変動パターンモードが起動している状態で、少なくとも前記抽選の結果として前記第２の当たり当選が決定された場合には、前記第２の図柄変動パターンモードに切り替える図柄変動パターンモード切替制御手段を有」することに相当する。
　さらに、引用発明２の「ｄ　前記特別遊技状態は、期待度（その可変表示が行われた際に、特別遊技状態となる大当たりとなる確率）が、図柄「●」＞図柄「▲」＞図柄「■」＞図柄「★」に設定されている特殊特別図柄」「を有する」ことと、本願補正発明の「Ｄ　前記第２の図柄変動パターンモードは、前記抽選の当選確率が向上する確変に当選する期待値が設定された図柄を複数有するとともに、前記期待値が０％に設定された前記図柄を含まない一方、前記期待値が１００％に設定された前記図柄を含んで構成される」こととは、「Ｄ’前記第２の図柄変動パターンモードは、前記抽選の当選確率が向上する確変に当選する期待値が設定された図柄を複数有する」点で共通する。
　ここで、引用発明２において、図柄「●」、図柄「▲」、図柄「■」、図柄「★」の具体的な期待度は明示されていない（図２の「確変信頼度　●＞▲＞■＞★」の下方に「４０／１００　３０／１００　２０／１００　１０／１００」と記載されるが、発明の詳細な説明には対応する説明がなく、これらの数値が期待度か否か明確でない。）ところ、通常遊技状態において、図柄番号が奇数である特別図柄を期待値１００％たる確変大当たり図柄とし、図柄番号が偶数である特別図柄を期待値０％たる通常大当り図柄としていることに鑑みれば、通常遊技状態よりも遊技者に有利な特別遊技状態であり、かつ遊技興趣を向上させる特殊特別図柄を用いた演出状態において、遊技者の遊技意欲を削がないように、期待値が０％に設定された特殊特別図柄を含まない一方、期待値が１００％に設定された特殊特別図柄を含んで構成することは、当業者が適宜なし得る設計的事項にすぎず、格別の発明性があるとは認められない。
　そして、引用発明１の小役当選もその後は高確率状態になるのであるから、高確率状態であることをわかりやすく報知するとともに遊技の興趣向上のために、引用発明２の確率変動制御（確変制御）で用いられる特殊図柄を採用して、相違点に係る本願補正発明の構成に想到することは当業者が容易になし得たことである。
　そのうえ、本願補正発明の奏する作用効果は、引用発明１及び引用発明２の奏する作用効果から予測される範囲のものにすぎず、格別顕著なものということはできない。
　したがって、本願補正発明は、引用発明１及び引用発明２に基づいて、当業者が容易に発明をすることができたものであるから、特許法第２９条第２項の規定により、特許出願の際独立して特許を受けることができないものである。
（４）請求人の主張について
　請求人は、審判請求書において、本願補正発明は、第２の図柄変動パターンモードにおいて、第２の当たり当選に当選する期待値が設定された図柄を複数有して構成されることのみならず、期待値が０％に設定された図柄を含まない一方、期待値が１００％に設定された図柄を含んで構成される点に特徴を有しているのに対し、平成２９年１１月２２日付けの補正却下で引用された特開２００５−７４０２１号公報に記載された発明では、図柄に期待値０％を含んで構成されるものであり、本願補正発明とは大きく異なる。図柄に期待値０％を含んで構成した場合、確変が発生する可能性が最初から全くないという不安感を残してしまい、遊技意欲が削がれる恐れがある、すなわち、特開２００５−７４０２１号公報に記載された発明には、本願補正発明のように期待値が０％に設定された図柄を含まない一方、期待値が１００％に設定された図柄を含んで構成される点について開示も示唆もないと言え、よって、このような特開２００５−７４０２１号公報に基づく構成を同じく補正却下で引用された特開２００５−１８５３４３号公報（引用文献１）や特開２００５−２５３９５２号公報に記載された発明に取り入れたとしても、本願補正発明の効果のうちとりわけ（ｂ）第２の図柄変動パターンモードにおける期待値が設定された図柄群には、期待値が１００％に設定された図柄を含んで構成されるため、確変が発生するか否かが不確実としたスリル感のみならず、場合によっては確変が発生することを確実に把握できる安心感も遊技者に与えることができるという効果、（ｃ）第２の図柄変動パターンモードにおける期待値が設定された図柄群には、期待値が０％に設定された図柄を含まない構成であるため、確変が発生する可能性が最初から全くないという不安感を払拭した遊技仕様を提供することができるという効果の双方を奏することはあり得ない旨主張する。
　しかしながら、上記（３）イで検討したように、引用発明２において、図柄「●」、図柄「▲」、図柄「■」、図柄「★」の具体的な期待度は明示されていないところ、通常遊技状態において、図柄番号が奇数である特別図柄を期待値１００％たる確変大当たり図柄とし、図柄番号が偶数である特別図柄を期待値０％たる通常大当り図柄としていることに鑑みれば、通常遊技状態よりも遊技者に有利な特別遊技状態であり、かつ遊技興趣を向上させる特殊特別図柄を用いた演出状態において、遊技者の遊技意欲を削がないように、期待値が０％に設定された特殊特別図柄を含まない一方、期待値が１００％に設定された特殊特別図柄を含んで構成することは、当業者が適宜なし得る設計的事項にすぎず、格別の発明性があるとは認められない。
　したがって、請求人の主張は採用できない。
（５）本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項１に係る発明は、平成２８年１１月２日にされた手続補正により補正された特許請求の範囲の請求項１に記載された事項により特定されるものであるところ、その請求項１に係る発明（以下「本願発明」という。）は、前記第２［理由］１の（本件補正前）に記載のとおりのものである。
２　原査定の拒絶理由
　原査定の請求項１に係る発明の拒絶の理由は、
（進歩性）この出願の請求項１に係る発明は、その出願遡及日前に頒布された以下の引用文献に記載された発明に基づいて、その出願遡及日前にその発明の属する技術の分野における通常の知識を有する者が容易に発明をすることができたものであるから，特許法第２９条第２項の規定により特許を受けることができない、
というものである。
　特開２００５−１８５３４３号公報（引用文献１）
　特開２００５−２５３９５２号公報
　特開２００５−５２５０８号公報（引用文献２）
３　引用文献 
　原査定の拒絶の理由で引用された引用文献の記載事項は、前記第２［理由］２（２）に記載したとおりである。
４　対比・判断 
　本願発明は、前記第２の［理由］２で検討した本願補正発明の発明特定事項である「第２の図柄変動パターンモード」について、Ｄの「前記期待値が０％に設定された前記図柄を含まない一方、前記期待値が１００％に設定された前記図柄を含んで」構成されるという限定を省いたものである。
　そうすると、本願発明の発明特定事項を全て含み、さらに他の事項を付加したものに相当する本願補正発明が、前記第２［理由］２（３）に記載したとおり、引用発明１及び引用発明２に基づいて当業者が容易に発明をすることができたものであるから、本願発明も、引用発明１及び引用発明２に基づいて、当業者が容易に発明をすることができたものである。
第４　むすび
　以上のとおり、本願発明は、特許法第２９条第２項の規定により特許を受けることができないから、本願は拒絶されるべきものである。
　よって、結論のとおり審決する。